(57)【特許請求の範囲】
【請求項１】
加温用シートからなる内層キャップと、該内層キャップの外側において該内層キャップを覆って配された、透湿シートを用いてなる外層キャップとからなり、前記内層キャップ及び前記外層キャップは、両者の開口周縁部全辺を封止して固着されている加温具であって、
前記加温用シートは、耐水性の内層シートと、内層シートの表面に接着された加温体とからなり、
前記加温体は、裏面に粘着剤が塗布されてなる粘着性シートと、通気性シートと、両シートにより挟持固定された発熱体成分とからなり、
前記内層キャップは、２枚の略同形の加温用シートを、それらの周縁部をキャップの開口部が形成されるように且つそれぞれ前記内層シートがキャップ内面を形成するように接合固定されている加温具。
【請求項２】
前記外層キャップは、前記内層キャップの前記通気性シートの外側に配されている請求項１記載の加温具。
【発明の詳細な説明】
【０００１】
【発明の属する技術分野】
本発明は、簡便にかつ安全に、加熱ムラなく頭髪又は頭皮を加熱できる加温具に関する。
【０００２】
【従来の技術及び発明が解決しようとする課題】
従来より、頭髪に形をつけたり、柔らかくしたり硬くする等髪質を変えたり、また、髪色を変える等の頭髪処理や、養毛・育毛等の頭皮処理において、頭部を加温する加温具は、種々用いられている。
しかし、従来の加温具は、フィット性向上のため及び折り畳んでコンパクトな状態とするために、加温体が複数個に分割されていたが、この分割された状態では、分割された各加温体の間に隙間が生じ、この隙間の部分が加熱されないため、加熱ムラが生じるという問題があった。
また、頭部に装着している際に、発熱体が落下して、着用者に触れてしまい危険であるという問題もあった。
【０００３】
従って、本発明の目的は、簡便にかつ安全に、加熱ムラなく、頭髪・頭皮の処理を行うことができる、髪の柔軟化、くせ矯正、弾性付与、染色等の頭髪処理や養毛・育毛処理等の頭皮処理が手軽に効率よく行える加温具を提供することにある。
【０００４】
【課題を解決するための手段】
本発明は、加温用シートからなる内層キャップと、該内層キャップの外側において該内層キャップを覆って配された、透湿シートを用いてなる外層キャップとからなり、前記内層キャップ及び前記外層キャップは、両者の開口周縁部全辺を封止して固着されている加温具であって、前記加温用シートは、耐水性の内層シートと、内層シートの表面に接着された加温体とからなり、前記加温体は、裏面に粘着剤が塗布されてなる粘着性シートと、通気性シートと、両シートにより挟持固定された発熱体成分とからなり、前記内層キャップは、２枚の略同形の加温用シートを、それらの周縁部をキャップの開口部が形成されるように且つそれぞれ前記内層シートがキャップ内面を形成するように接合固定されている加温具を提供することにより前記目的を達成したものである。
【０００５】
【発明の実施の形態】
以下、本発明の加温具の好ましい１実施形態について説明する。
本実施形態の加温具１は、図１〜３に示すように、加温用シート２０からなる内層キャップ２と、内層キャップ２の外側において内層キャップ２を覆って配された、透湿シート３０を用いてなる外層キャップ３とからなる。
【０００６】
而して、内層キャップ２及び外層キャップ３は、両者の開口周縁部全辺を封止して固着されている。
【０００７】
更に詳細には、外層キャップ３は、その全面が透湿シート３０により形成されている。
外層キャップ３は、内層キャップ２の通気性シート２５の外側に配されており、内層キャップ２と外層キャップ３とは、キャップの開口周縁部においてヒートシールされて封止されている。
【０００８】
加温用シート２０は、耐水性の内層シート２３と、内層シート２３の表面に接着された加温体２４、２４ａとからなる。
そして、内層キャップ２は、２枚の略同形の加温用シート２０を、それらの周縁部（湾曲周縁部２２ａ）をキャップの開口部４を形成するように且つそれぞれ内層シート２３がキャップ内面を形成するように、接合固定されて、形成されている。
【０００９】
また、湾曲周縁部２２ａは、図２及び３に示すように、内層シート２３同士を当接させてヒートシールして接合固定されており、シールされた部分は、加温具の内面側に位置している。
【００１０】
また、各加温体２４、２４ａは、図２に示すように、裏面に粘着剤が塗布されてなる粘着性シート２６と、通気性シート２５と、両シートにより挟持固定された発熱体成分２７とからなる。
加温体２４を形成する粘着性シート２６と通気性シート２５とは、それぞれ平面形状が凸字状であり、長方形状に配置された各発熱体成分２７を、粘着性シート２６と通気性シート２５とをシールして形成された封止部６で区切って、長方形状の加熱部２４’を形成している。
また、加温体２４ａは、長方形状の発熱体成分２７を、互いに略同じ長方形状の通気性シート２５及び粘着性シート２６で挟持固定して形成されており、長方形状の加熱部２４ａ’と該加熱部２４ａ’の外周縁全辺を封止して形成された封止部６’とからなる。
そして、加温体２４、２４ａは、粘着性シート２６の粘着剤を介して、内層シート２３に固定されている。２個の加温体２４ａ，２４ａは、それぞれ折り曲げられて、２枚の加温用シート２０、２０にまたがっている。
また、各加熱部２４’間の間隔ｔ（図１参照）は、８ｃｍ以下、特に４ｃｍ以下であるのが好ましい。
【００１１】
開口周縁部４の大きさは、人間の頭部が入る大きさ、具体的には、周囲長が好ましくは４０〜１００ｃｍ、更に好ましくは５０〜９０ｃｍである。また、開口周縁部４には、弾性部材（図示せず）が配されている。
【００１２】
内層シート２３としては、耐水性と柔軟性とを備えるシート、例えばポリエチレンのシート、ポリプロピレンのシート、塩化ビニルのシート等が用いられる。
通気性シート２５としては、通常の使い捨てカイロ等に用いられているものの他、通気性のあるシートであれば、特に制限なく用いることができる。
【００１３】
加温体２４、２４ａには、簡便性および安全性の点で特に好ましいため、鉄粉を含む発熱体成分が好ましく用いられる。
【００１４】
外層シート３を形成する透湿シート３０は、非透水性であり、通気性シート２５より透湿性が大きいものが好ましい。即ち、その透湿度が、４００ｇ／ｍ２  ・ｄａｙ以上、特に１０００ｇ／ｍ２  ・ｄａｙ以上であるのが好ましい。
前記透湿度は、ＪＩＳ  Ｚ  ０２０８の方法に従い、温度２５℃、湿度９０％の条件で測定される。
【００１５】
前記透湿度を満たす透湿シート３０としては、具体的には、使い捨ておむつ等に通常使用されるポリエチレン性の透湿性で非透水性のシート等が挙げられる。
【００１６】
本実施形態の加温用の内層キャップ２の発熱温度及び発熱時間は、通気性シートの通気性と発熱体成分の組成により適宜調節することができるが、２５℃の室内において水等で濡れた頭髪に被せた場合に、１０分以内に３５〜４０℃にまで上昇し、４０〜６０℃で１０〜１２０分間維持されるような温度特性を有するように調節するのが頭髪頭皮の加温用として好ましい。
【００１７】
本実施形態の加温具１は、頭髪・頭皮の加温用として好適である他、食品の保温等に用いることができる。頭髪・頭皮の加温用として用いる場合には、使用に際しては開口部から頭部に被せる等して用いられる。
本実施形態の加温具１によれば、簡便な使用操作で用いることができ、安全に頭髪・頭皮の加温を行うことができる。そして、外層キャップ３が、上述の透湿シートを用いてなるため、内層キャップ２と外層キャップ３との間の空間５が加温されると共に適度に加湿され、加温された蒸気の作用により各加温体間の間隙を形成する封止部６も効率よく加熱され、加熱ムラがなくなる。
また、外層キャップ３の形態を種々の形態に変更すれば、種々の外観とすることができ、意匠上有効である。例えば、各種キャラクターの形状としたり、色や模様を付与したりする等できる。
また、透湿シート３０を非透水性のシートとすれば、お風呂の中等の加温具に水がかかる恐れがある場所でも使用できる。通気性シート２５は、加温体２４を良好に発熱させる程度に通気性を持たせる必要があり、非透水性を持たせる迄には至らないことから、お風呂の中等で使用可能とするには、このような構成とするのが好ましい。
そして、本実施形態の加温具は、開口周縁部４の全辺が封止されているので、万一加温体の構成シートが破れる等して発熱体成分が飛散しても、加温具の外部にまで飛散することがないので、安全性に優れたものである。
【００１８】
本実施形態の加温具１は、例えば、内層シート上に、常法により得られた加温体を所定形状に貼り付け、所定形状の加温部が形成された加温用シートを作成し、得られた加温用シートを、通気性シート側を内側にして２つ折りに折り畳むか、又は得られた加温用シートを通気性シートを内側にして２枚重ね合わせて、重ね合わせられた縁部を封止し、封止された加温用シートにおける直線状縁部を縁部に沿って切断・開封して円形状開口部を有する内層キャップを形成し、得られた内層キャップを通気性シートが外表面となるように裏返し、更に通気性シート上に別途作成した外層キャップを被せて、該外層キャップと該内層キャップとの開口周縁部の全辺を封止する等して得られる。
【００１９】
尚、上述の実施形態においては、各加熱部２４’間に弾性部材を配したり、内層シート２３及び通気性シート２５のいずれか一方を、弾性を有するシートで形成して、各加熱部２４’間にギャザーが形成されるようにしても良い。また、加温用シート２０の形状は、半楕円形状でなく、長方形状等の矩形状等としてもよい。
【００２０】
また、内層キャップ２は、２枚の加温用シート２０により形成する必要はなく、１枚若しくは３枚以上の多数枚の加温用シート２０で形成したり、加温用シート２０と加温体２４，２４ａを含まない通常の樹脂製シート等とを組み合わせて形成しても良い。
【００２１】
【発明の効果】
本発明の加温具は、簡便に且つ安全に、加熱ムラなく、頭髪・頭皮の処理を行うことができる、髪の柔軟化、くせ矯正、弾性付与、染色等の頭髪処理や養毛・育毛処理等の頭皮処理が手軽に効率よく行えるものである。
【図面の簡単な説明】
【図１】図１は、本発明の加温具の１実施形態を示す斜視図（１部破断斜視図）である。
【図２】図２は、図１に示す加温具のＸ−Ｘ断面を模式的に示す断面図である。
【図３】図３は、図１に示す加温具のＹ−Ｙ断面を模式的に示す断面図である。
【符号の説明】
１    加温具
２    内層キャップ
２０    加温用シート
２２ａ  湾曲周縁部
２３    内層シート
２４，２４ａ    加温体
２４’，２４ａ’加熱部
２５    通気性シート
２６    粘着性シート
２７    発熱体成分
３    外層キャップ
３０    透湿シート
４    開口周縁部
５    空間
６    封止部
【図１】
0003563299.tif 000002
【図２】
0003563299.tif 000003
【図３】
0003563299.tif 000004